(57)【要約】【課題】メール等の文書を表示する画面表示の視認性等を高めることにある。【解決手段】文書中の文字に応じて少なくともフォントや、その明度や、その色相、その彩度又はその鮮明度の何れか１以上を異ならせた文字又は文字列を含む文書に加工することにより、文書中の文字や文字列の表示効率や視認性等を向上させ、文書表示の利便性を高めたものである。文字は、少なくとも漢字、アルファベット、ひらがな、その他の文字、絵、図形、記号又は画像の何れかを含む。【選択図】図５
2010157085.tif 000002
【特許請求の範囲】
【請求項１】
文書を表示する文書表示装置であって、
文書を画面に表示する表示部と、
前記表示部の１画面又は２画面以上に表示される文書を、該文書中の文字に応じて少なくともフォント、明度、色相、彩度又は鮮明度の何れか１以上を異ならせた文字又は文字列を含む文書に加工し、該文書を前記表示部の画面に表示させる処理部と、
を含むことを特徴とする文書表示装置。
【請求項２】
前記処理部は、文書の特定文字の文字数と、前記特定文字以外の文字の文字数とに基づき、前記表示部の一画面内に前記文書を表示可能な前記特定文字を表す特定文字フォントを決定し、該特定文字フォントで表示される特定文字に応じて前記特定文字以外の文字の大きさを縮小させることを特徴とする請求項１記載の文書表示装置。
【請求項３】
文書を送受信する携帯端末装置であって、
文書を画面に表示する表示部と、
前記表示部の１画面又は２画面以上に表示される文書を、該文書中の文字に応じて少なくともフォント、明度、色相、彩度又は鮮明度の何れか１以上を異ならせた文字又は文字列を含む文書に加工し、前記表示部の画面に表示させる処理部と、
を含むことを特徴とする携帯端末装置。
【請求項４】
文書の表示方法であって、
１画面又は２画面以上に表示される文書を、該文書中の文字に応じて少なくともフォント、明度、色相、彩度又は鮮明度の何れか１以上を異ならせた文字又は文字列を含む文書に加工するステップと、
加工された前記文書を画面に表示させるステップと、
を含むことを特徴とする文書表示方法。
【請求項５】
コンピュータによって実行される文書表示プログラムであって、
１画面又は２画面以上に表示される文書を、該文書中の文字に応じて少なくともフォント、明度、色相、彩度又は鮮明度の何れか１以上を異ならせた文字又は文字列を含む文書に加工する機能と、
加工された前記文書を画面に表示させる機能と、
を含むことを特徴とする文書表示プログラム。
【発明の詳細な説明】
【技術分野】
【０００１】
本発明は、メール等の文書の画面表示に関し、例えば、１又は複数の画面に表示される文書中の文字に応じて文字を加工して表示する文書表示装置、携帯端末装置、文書表示方法及び文書表示プログラムに関する。
【背景技術】
【０００２】
携帯電話機等の携帯端末装置で受信したメール文を一画面で表示させることができない長文の場合には、スクロール操作が必要である。スクロール操作は、携帯端末装置の一画面の表示に対し、メール文の表示を縦方向又は横方向にスクロールさせ、限られた表示画面内に表示内容をシフトさせて内容を確認するための操作である。このようなスクロール操作によれば、表示範囲を超える長文メールや画像を読む又は視認することができる。
【０００３】
このような表示に関し、文章や画像について、一画面内に画像と文字を表示する処理として画像又は文字を縮小して表示することが知られている（特許文献１）。
【特許文献１】特開２００２−１５６９５７号公報
【発明の開示】
【発明が解決しようとする課題】
【０００４】
ところで、スクロールは表示範囲を移動させることができるので、画面が狭い場合にも表示内容の移動によって表示させ、その内容を読むことができ、また、視認できるので、便利である反面、スクロール操作が必要である。画面の表示範囲が狭く、表示内容が表示範囲に対して大きく又は長くなる程、スクロール操作を連続的に行う面倒がある。メール等の多数の文書を扱う携帯端末装置にあっては、文書の選択操作とスクロール操作との２種類の異なる操作が併用されることになる。
【０００５】
このようなスクロールを要することなく全ての文書を一画面に表示しようとすれば、表示画面の面積を大きくすればよいが、これには限界がある。また、画面に表示される文字や画像を縮小すれば、一画面に多くの文字や画像を表示することができるにしても、文字や画像を縮小した場合には判読できない場合等、視認性が低下する。
【０００６】
このような課題は携帯端末装置のみならず、文字等の記号や図形等を表示する表示装置全般の課題でもある。
【０００７】
斯かる要求や課題について、特許文献１にはその開示や示唆はなく、それを解決する構成等についての開示や示唆はない。
【０００８】
そこで、本開示の文書表示装置、携帯端末装置、文書表示方法又は文書表示プログラムの目的は、メール等の文書を表示する画面表示の視認性を高めることにある。
【０００９】
また、本開示の文書表示装置、携帯端末装置、文書表示方法又は文書表示プログラムの他の目的は、文書を表示する画面表示の表示効率を高めることにある。
【００１０】
また、本開示の文書表示装置、携帯端末装置、文書表示方法又は文書表示プログラムの他の目的は、画面表示の表示内容の把握機能を高めることにある。
【課題を解決するための手段】
【００１１】
上記課題を解決するため、本開示の文書表示装置、携帯端末装置、文書表示方法又は文書表示プログラムは、文書中の文字に応じて少なくともフォントや、その明度や、その色相、その彩度又はその鮮明度の何れか１以上を異ならせた文字又は文字列を含む文書に加工することにより、文書中の文字や文字列の表示効率や視認性等を向上させ、文書表示の利便性を高めたものである。この場合、文字は、少なくとも漢字、アルファベット、ひらがな、その他の文字、絵、図形、記号又は画像を含むものであり、漢字やひらがなに限定されるものではない。
【００１２】
上記課題を解決するため、本開示の文書表示装置は、文書を表示する文書表示装置であって、文書を画面に表示する表示部と、前記表示部の１画面又は２画面以上に表示される文書を、該文書中の文字に応じて少なくともフォント、明度、色相、彩度又は鮮明度の何れか１以上を異ならせた文字又は文字列を含む文書に加工し、該文書を前記表示部の画面に表示させる処理部とを含んでいる。
【００１３】
このように文書を加工すれば、特定文字やその文字列が他の文字と区別され、その視認性が向上し、文書の内容を把握するための把握機能が高められる。また、フォントを異ならせることにより、１画面内に表示できる等、メール等の文書の表示効率が高められる。
【００１４】
上記課題を解決するため、本開示の携帯端末装置は、文書を送受信する携帯端末装置であって、文書を画面に表示する表示部と、前記表示部の１画面又は２画面以上に表示される文書を、該文書中の文字に応じて少なくともフォント、明度、色相、彩度又は鮮明度の何れか１以上を異ならせた文字又は文字列を含む文書に加工し、前記表示部の画面に表示させる処理部とを含んでいる。
【００１５】
上記課題を解決するため、本開示の文書表示方法は、文書の表示方法であって、１画面又は２画面以上に表示される文書を、該文書中の文字に応じて少なくともフォント、明度、色相、彩度又は鮮明度の何れか１以上を異ならせた文字又は文字列を含む文書に加工するステップと、加工された前記文書を画面に表示させるステップとを含んでいる。斯かる文書表示方法によっても、上記課題が解決される。
【００１６】
上記目的を達成するため、本開示の文書表示プログラムは、コンピュータによって実行される文書表示プログラムであって、１画面又は２画面以上に表示される文書を、該文書中の文字に応じて少なくともフォント、明度、色相、彩度又は鮮明度の何れか１以上を異ならせた文字又は文字列を含む文書に加工する機能と、加工された前記文書を画面に表示させる機能とを含んでいる。斯かる文書表示プログラムによっても、上記課題が解決される。
【発明の効果】
【００１７】
本開示の文書表示装置、携帯端末装置、文書表示方法又は文書表示プログラムによれば、次のような効果が得られる。
【００１８】
(1) 文書中の文字に応じて少なくともフォント、明度、色相、彩度又は鮮明度の何れか１以上を異ならせた文字又は文字列を含む文書に加工された文書が画面に表示されるので、メール等の文書の視認性が高められる。
【００１９】
(2) メール等の文書を表示する画面の表示効率が高められる。
【００２０】
(3) 画面に表示された文書の表示内容の把握機能が高められる。
【００２１】
そして、本発明の他の目的、特徴及び利点は、添付図面及び各実施の形態を参照することにより、一層明確になるであろう。
【発明を実施するための最良の形態】
【００２２】
〔第１の実施の形態〕
【００２３】
第１の実施の形態について、図１、図２及び図３を参照する。図１は、第１の実施の形態に係るメール送受信装置を示すブロック図、図２は、メモリの一例を示す図、図３は、携帯電話機の一例を示す図である。図１、図２及び図３に示す構成は一例であって、斯かる構成に本発明が限定されるものではない。
【００２４】
このメール送受信装置２は、メール等の文書を送受信するとともに、送信メール又は受信メール等の文書を表示する文書表示装置の一例であって、コンピュータで構成されている。このメール送受信装置２では、ＬＣＤ（Liquid Crystal Display）表示素子等で構成される表示部の表示画面を一画面（単位）とすれば、その一画面に収まらないメール本文を一画面又は少ない画面数に加工して表示し、又は記録する機能を含む。文書として例えば、メールはタイトル部とメール本文とから構成されるのが一般的であり、この実施の形態では、加工対象はメール本文である。加工されたメール本文では、スクロールすることなく一画面に表示し、又は、スクロール操作を低減して長文のメール本文の表示が可能である。このメール送受信装置２は、メール送受信機能を備える携帯電話機や携帯情報端末機（ＰＤＡ：Personal Digital Assistant）等の携帯端末装置、メール送受信機能を備えるパーソナルコンピュータ等の通信機器に適用される。
【００２５】
そこで、このメール送受信装置２には、図１に示すように、メール表示機能部４と、無線部６と、ＣＰＵ（Central Processing Unit ）８と、メモリ１０と、表示部１２とが含まれる。
【００２６】
メール表示機能部４は、メール等の文書の表示、表示メールの加工、メールの送受信、呼制御等の制御手段の一例であって、既述のＣＰＵ８によって制御される。
【００２７】
無線部６は、メール表示機能部４が備える無線制御機能によって制御され、アンテナ１４を備えて基地局等との電話、パケット通信等の無線通信を行う無線通信手段であって、通話、メールの送受信を行う。
【００２８】
ＣＰＵ８は、ＯＳ（Operating System）の実行に基づき、文書表示プログラムの実行等を行う処理手段であって、メール表示機能部４、無線部６、表示部１２等の各種機能部の制御を行う制御手段、メール表示機能部４のメール加工等のデータ処理、メモリ１０のデータの読み書きのデータ処理手段等を構成する。
【００２９】
メモリ１０は、既述のＯＳ、文書表示プログラム等のアプリケーションプログラムを記憶する記憶手段であって、このメモリ１０には例えば、図２に示すように、プログラム記憶部１６、データ記憶部１８、ＲＡＭ（Random-Access Memory）２０が含まれる。プログラム記憶部１６にはＯＳや文書表示プログラム等のアプリケーションプログラムが格納され、データ記憶部１８にはメール文等のデータが格納され、ＲＡＭ２０はワークエリアを構成する。このメモリ１０は記録媒体で構成される。
【００３０】
表示部１２は、画面表示が可能なＬＣＤ表示素子等で構成された表示手段であって、メール等の文書を表示する表示画面２２を備えている。
【００３１】
そして、既述のメール表示機能部４には、無線制御部２４と、呼制御部２６と、メール送受信部２８と、メール表示制御部３０と、フォントデータベース３２と、表示操作制御部３４とが含まれている。
【００３２】
無線制御部２４は、無線部６の制御手段であって、メール等の文書の送受信や通話のための送受信を含む無線制御を行う制御手段であって、既述のＣＰＵ８によって制御される。
【００３３】
呼制御部２６は、ＣＰＵ８の制御に基づき、呼制御を行う制御手段であって、呼制御は基地局及び通話先との呼を確立し、通話、メール送信又はメール受信の間、接続を維持する。
【００３４】
メール送受信部２８は、メール等の文書の送受信手段であって、ＣＰＵ８の制御に基づき、接続先からメール受信、通話先に対してメール送信を行う。
【００３５】
メール表示制御部３０は、メール等の文書の表示制御手段であって、ＣＰＵ８による文書表示プログラムの実行に基づき、受信又は作成したメールをフォントデータベース３２にあるフォントを用いて１画面以下の表示ができるメールに加工等の制御を行う。
【００３６】
フォントデータベース３２は、文字を表示するためのフォントを格納する格納手段であって、文字は、漢字、ひらがな、アルファベット、絵、図形、記号又は写真、その他の画像の何れか１つ又は２以上が含まれる。なお、このフォントデータベース３２はデータ記憶部１８に設定してもよい。
【００３７】
表示操作制御部３４は、表示部１２の制御手段であって、文字を含む記号のフォントやメール中の文字を含む記号の配置等、表示画面２２の表示内容の制御を行う。
【００３８】
このメール送受信装置２は携帯端末装置等に搭載され、その一例である携帯電話機３６では、図３に示すように、第１の筐体部３８と、第２の筐体部４０とがヒンジ部４２で開閉可能に連結されている。筐体部３８にはカーソルキー、記号入力キー等を含む操作入力部４４、音声入力部としてのマイクロフォン４６等が設置され、筐体部４０には表示画面２２を備える表示部１２、レシーバ４８等が設置されている。
【００３９】
次に、メール表示機能について、図４、図５及び図６を参照する。図４は、メール表示機能の概要を示す図、図５は、メールの表示変換の前後を示す図、図６は、変換後のメール表示を示す図である。図４、図５及び図６は一例であって、斯かる構成に本発明が限定されるものではない。
【００４０】
このメール表示装置２におけるメール表示は、携帯電話機等で送信又は受信するメール表示機能で表示される全てのメールについて、一画面表示化処理を行う。この一画面表示化処理は例えば、メール本文に含まれる文字として例えば、漢字（：特定文字）及びひらがな（：特定以外の文字）の数を数え、例えば、漢字数＋（ひらがな数÷２）の文字を１画面に表示する場合に、全ての文字が入るようなフォントを選択する。その場合、ひらがなは例えば、続いている数が１文字又は２文字の場合には半角２文字画像を生成し、また、続いている数が３文字又は４文字の場合には全角４文字画像を生成する。そして、１画面に収まる漢字フォントに対してひらがなフォントを漢字フォントの４分の１の大きさに加工し、漢字画像とひらがな画像とを組み合わせることにより、１つのメールを１画面に表示できるように加工し、記録する。斯かる処理によれば、一画面表示を行うことにより、スクロール操作を行うことなく、メールの内容を次々に例えば、画面単位での確認が行える。
【００４１】
そこで、漢字の処理について、複数画面に亘るメールを既述の演算式、即ち、漢字数＋（ひらがな数÷２）から漢字フォントを決定する。そして、連続するひらがなの処理について、図４Ａ及び図４Ｂを参照すると、図４Ａでは、メール本文５０中に連続するひらがなの連鎖体５２Ａがある場合、この連鎖体５２Ａは４文字であるので、次のような処理を行う。
【００４２】
１ａ）４文字のフォントを原文字の４分の１フォントに変換して４文字を縮小する。
【００４３】
２ａ）縮小した４文字の配置は２行２列の縮小体５４Ａに編成する。
【００４４】
３ａ）縮小された４文字の連なり方向を例えば、行方向とする。この場合、列方向であってもよい。
【００４５】
図４Ａの例示では、全角文字の連鎖体５２Ａのひらがな「ひらひら」は４分の１フォントに縮小されるとともに、２行２列の縮小体５４Ａに編成され、その読み方向は全角文字と直交方向に「ひら」と「ひら」とで構成される。全角文字の表示幅をＷ１、４文字の連鎖体５２Ａの表示幅をＷ２、縮小体５４Ａの表示幅をＷ３とすると、Ｗ２＝４×Ｗ１、Ｗ３＝Ｗ２÷４＝Ｗ１である。連鎖体５２Ａは、全角１文字分の表示幅の縮小体５４Ａに縮小されている。連鎖体５２Ａの表示幅Ｗ２は大幅に削減され、削減された破線部５６の表示幅をＷ４とすると、この表示幅Ｗ４は、Ｗ４＝Ｗ２−Ｗ１＝３×Ｗ１である。この表示幅Ｗ４が次に続く全角文字の表示領域となって、文字詰めが生じ、その結果、文字列が縮小される。
【００４６】
また、図４Ｂに示すように、２文字である連鎖体５２Ｂでは、その２文字を半角文字化することにより、次のような処理を行う。
【００４７】
１ｂ）２文字のフォントを原文字の半角文字化（この場合、４分の１フォントに変換）して２文字を縮小する。
【００４８】
２ｂ）縮小した２文字の配置は１行の縮小体５４Ｂに編成する。この縮小体５４Ｂの半角文字は全角文字の連なりと直交する行方向とする。
【００４９】
このような半角文字化により、連鎖体５２Ｂの表示幅をＷ５（＝Ｗ２／２）、縮小体５４Ｂの表示幅をＷ６とすると、Ｗ６＝Ｗ１／２＝Ｗ５／４＝Ｗ２／８である。連鎖体５２Ｂの表示幅Ｗ５は大幅に削減され、削減された破線部５８の表示幅をＷ７とすると、Ｗ７＝Ｗ５−Ｗ６であり、この表示幅Ｗ７は次に続く全角文字の表示領域となって、文字詰めが生じ、その結果、文字列が縮小される。
【００５０】
このようなひらがなについて、連鎖する４文字の全角１文字化、連鎖する２文字の半角文字化を実際のメール本文に適用したメールの圧縮処理について、図５Ａ及び図５Ｂを参照する。
【００５１】
図５Ａでは、受信メールの通常表示として表示画面２２の１画面２２１にメール本文「簡単操作で・・・できるので、」が表示され、２画面２２２にメール本文「のぞき見・・・可能に」が表示され、また、３画面２２３にメール本文「なりました。・・・充実しています。」が表示され、メール本文は全体として３画面に及ぶ長文である。
【００５２】
このメール本文に上記処理を施すと、図５Ｂに示すように、３画面に及ぶ長文のメール本文の全文が１画面２２１に圧縮されて表示される。この実施の形態では、句点「、」及び読点「。」をひらがなと同様に扱い、上記処理を行っている。このようなメール表示とすれば、表示効率が高められ、スクロール操作を要することなく、メール本文を１画面で視認し、読み取ることができる。また、メール本文が４画面以上に亘る長文であっても、原文の画面数より少ない画面数に縮小されるので、スクロール回数を低減することができるし、複数の異なるメール本文を確認する場合もスクロール操作が低減されるので、読み取り操作を簡略化することができる。この場合、連鎖するひらがなを連鎖体５２Ａ、５２Ｂとして扱っているが、１文字のひらがなに漢字が連鎖する場合等、１文字のひらがなについても、連鎖体５２Ａ、５２Ｂと同様に扱い、１文字のひらがなを漢字の４分の１のフォントに変化させ、半角文字の表示範囲に設定すればよい。また、１文字のひらがなの後に漢字が存在する場合には、それを契機にそのひらがなを４分の１のフォント又は半角文字に変更する処理及び表示であってもよい。
【００５３】
メールの変換後の表示について、図６を参照する。この図６では、上記一画面表示化処理について、文字表示を省略して示している。上記実施の形態では、漢字とひらがなとを含むメール本文の変換処理であり、斯かる変換処理では、特定の記号である漢字を全角表示、漢字以外の文字を変換対象に設定し、４文字の全角１文字化処理又は２文字の半角文字化処理としたが、半角処理の対象記号を任意に選択可能な設定とすればよい。
【００５４】
そこで、図６に示すように、１画面に表示された文字例は特定文字として全角表示文字６０と、特定文字以外の文字である縮小表示文字６２との組合せにより、メール本文を１画面２２１内に表示することができる。このような処理は漢字とひらがなに限定されるものではない。文字の属性（例えば、漢字、ひらがな、アルファベット等）の他、特定の用語や文字等の記号を選択し、全角文字のフォントと、縮小文字のフォントとの組合せにより記号表示の圧縮処理により、一画面表示ないし画面数の削減が可能である。
【００５５】
次に、メール表示の処理手順について、図７、図８及び図９を参照する。図７は、メール表示の処理手順を示すフローチャート、図８は、一画面表示化処理のサブルーチンの処理手順を示すフローチャート、図９は、処理内容を示す図である。図７、図８及び図９に示す構成は一例であって、斯かる構成に本発明が限定されるものではない。
【００５６】
この処理手順は、本開示の文書表示方法又は文書表示プログラムの一例であって、既述の一画面表示化処理の機能を有するとともに、複数のメール等の文書が存在している場合に、そのメール等の文書の全てに対して順次に一画面表示化処理を実行するための機能を包含している。
【００５７】
そこで、メール表示の処理手順では、図７に示すように、全メール処理済みか否かを判断し（ステップＳ１１）、全メール処理済みであれば（ステップＳ１１のＹＥＳ）、この処理を終了する。
【００５８】
また、複数メールについて、未処理メールが存在する場合、即ち、全メール処理済みでなければ（ステップＳ１１のＮＯ）、一画面表示化済みか否かを判断する（ステップＳ１２）。一画面表示化済みであれば（ステップＳ１２のＹＥＳ）、一画面表示を行い（ステップＳ１３）、次のメール表示をするか否かを判断し（ステップＳ１４）、次のメールを表示する場合（ステップＳ１４のＹＥＳ）には、ステップＳ１１に戻り、既述の処理を行う。次のメール表示がなければ（ステップＳ１４のＮＯ）、この処理を終了する。
【００５９】
一画面表示化済みでなければ（ステップＳ１２のＮＯ）、一画面表示処理を実行する（ステップＳ１５）。この一画面表示処理では、メール内の漢字数とひらがな数を基に、一画面に入るように漢字フォントを判定し、そのフォントを設定する（ステップＳ１５）。ひらがなから４文字画像、又は半角２文字画像を作成し（ステップＳ１６）、一画面表示用としてメール本文を記録し（ステップＳ１７）、既述の画面表示として一画面表示を行う（ステップＳ１３）。この一画面表示では、次のメール表示について判断し（ステップＳ１４）、既述の通り、次のメールを表示する場合（ステップＳ１４のＹＥＳ）には、ステップＳ１１に戻り、既述の処理を行い、次のメール表示がなければ（ステップＳ１４のＮＯ）、この処理を終了する。
【００６０】
次に、漢字フォントの判定及び設定処理（ステップＳ１５：図７）には、メールに含まれる漢字数Ｋｎ、ひらがな数を計数し、ひらがなの文字連続数に応じた換算処理を行うとともに、全文字数に応じて表示部１２の表示画面２２の１画面２２１に表示可能な（又は判読可能な）漢字フォントを決定し、その漢字フォントを基準にひらがなフォントを決定する処理を含んでいる。
【００６１】
そこで、この処理手順には、図８に示すように、メール本文の漢字数Ｋｎをカウントし（ステップＳ２１）、メール本文の連続したひらがなをカウントする（ステップＳ２２）。ひらがなの文字連続数が１文字又は２文字か、３文字又は４文字かを判断し（ステップＳ２３）、文字連続数が１文字又は２文字であれば、ひらがなを半角文字として０．５文字の漢字数に換算し（ステップＳ２４）、ひらがなの文字連続数が３文字又は４文字であれば、ひらがなを１文字の漢字数に換算する（ステップＳ２５）。
【００６２】
漢字数に換算された文字数をＨｎに加算し（ステップＳ２６）、メール本文のカウント完了か否かを判断し（ステップＳ２７）、メール本文のカウント完了でなければ（ステップＳ２７のＮＯ）、ステップＳ２２に戻り、ステップＳ２２ないしステップＳ２７の処理を行ってメール本文のカウントを行う。このメール本文のカウント完了であれば（ステップＳ２７のＹＥＳ）、漢字数Ｋｎと漢字数換算数Ｈｎとを加算し、その加算値を全文字数Ｃｎとする（ステップＳ２８）。この全文字数Ｃｎはメモリ１０のデータ記憶部１８に記録すればよい。
【００６３】
表示部１２の表示画面２２の一画面の表示範囲に全文字数Ｃｎを表示するための処理として、画面サイズ（Ｘ×Ｙ）÷全文字数Ｃｎから漢字１文字の漢字フォントを決定する（ステップＳ２９）。この漢字フォントの決定に対応し、ひらがなは漢字の４分の１のフォントであるから、漢字フォント÷４から１文字のひらがなフォントを決定する（ステップＳ３０）。このような決定に基づき、漢字フォント及びひらがなフォントが設定され、ステップＳ１５（図７）にリターンする。
【００６４】
このような一画面表示化処理において、表示部１２の表示画面２２の一画面における画面サイズＳは、図９Ａに示すように、表示画面２２の１画面２２１の横方向のドット数Ｘと、縦方向のドット数Ｙとの積（Ｓ＝Ｘ×Ｙ）で決定される。
【００６５】
また、一画面表示化処理機能には、図９Ｂに示すように、漢字数とひらがな数のカウント処理機能Ｆ１と、フォント決定機能Ｆ２とが含まれる。一例としてのメール本文では、例えば、漢字数Ｋｎ＝５文字、漢字数換算数（漢字数に換算された文字数）Ｈｎ＝３文字とすれば、ひらがな１文字＝０．５文字、ひらがな２文字連続＝０．５文字、ひらがな３文字連続＝１文字、ひらがな４文字連続＝１文字であり、変換前のメール本文では例えば、１５文字であったものが、変換後では８文字に変換され、表示範囲が大幅に圧縮されている。
【００６６】
なお、漢字フォント及びひらがなフォントの決定について、漢字の大きさが判読限界まで漢字フォントを低下させてもよいが、ひらがなの判読限界を基準にひらがなフォントを設定し、これに基づいて漢字フォントの下限値を決定してもよい。その場合、１画面２２１をはみ出すメール本文は２画面２２２に跨がってもよい。
【００６７】
以上説明した実施の形態の特徴事項や利点等を列挙すれば、以下の通りである。
【００６８】
(1) １又は全てのメールについて、そのメールを一画面に収めることが可能な漢字フォント（特定文字フォント）を決定し、その漢字フォントを基準にし、ひらがな（特定文字以外の文字）を、漢字（特定文字）の例えば、４分の１の大きさに縮小して組み合わせることによって、一画面又は複数画面に亘るメールを一画面に表示可能に加工し、記録することができる。
【００６９】
(2) 一画面表示により、メールの視認性が高められる。
【００７０】
(3) メールを表示する画面の表示効率が高められる。
【００７１】
(4) 画面に表示されたメールの表示内容の把握機能が高められる等の利点や効果が得られる他、スクロール操作なしで確認できる一画面メール表示を行える。
【００７２】
(5) 従前のメール選択とスクロール操作という、２種類の操作を交互に行うことが必要となっていたが、メールの内容を次々に確認するためには、スクロール操作をしないで、メール文章の選択操作だけで、文書を読むことができ、操作性が高められる等、利便性の向上が図られる。
【００７３】
〔第２の実施の形態〕
【００７４】
第２の実施の形態について、図１０及び図１１を参照する。図１０は、第２の実施の形態に係るメール表示の概要を示す図、図１１は、その一例を示す図である。図１０及び図１１に示す構成は一例であって、斯かる構成に本発明が限定されるものではない。図１０及び図１１において、図３、図５及び図６と同一部分には同一符号を付してある。
【００７５】
第１の実施の形態では、文字に応じてフォントを変更することにより、一画面表示化処理を行っているが、この実施の形態では、メール本文の特定文字として漢字に対し、漢字を除く他の文字例えば、ひらがなを不鮮明に表示することにより、漢字の表示をひらがなに対して目立たせ、メールの概要の読取りを容易化することができる。
【００７６】
この処理では、図１０に示すように、メール本文を構成する文字例において、特定文字である漢字等の文字は通常表示文字６４とし、特定文字以外の文字即ち、漢字以外のひらがな等の文字は不鮮明文字６６とすることにより、通常表示文字６４を目立たせることができる。例えば、具体的には、図１１に示すように、漢字を通常表示文字６４として表示し、ひらがなを半透明化された不鮮明文字６６として表示すればよい。
【００７７】
このような処理とすれば、漢字の部分だけを斜め読みすることが容易化され、メール本文の視認性の向上を図ることができる。
【００７８】
〔第３の実施の形態〕
【００７９】
第３の実施の形態について、図１２及び図１３を参照する。図１２は、第３の実施の形態に係るメール表示の概要を示す図、図１３は、その一例を示す図である。図１２及び図１３に示す構成は一例であって、斯かる構成に本発明が限定されるものではない。図１２及び図１３において、図３、図５及び図６と同一部分には同一符号を付してある。
【００８０】
第１の実施の形態の一画面表示化処理と、第２の実施の形態の不鮮明化処理とを組み合わせてもよく、第３の実施の形態では、その一例を示している。図１２では、１画面２２１に表示されるメール本文の文字列中、特定文字以外の文字即ち、フォントを縮小した文字に対して不鮮明化処理を施し、フォント数が低減されていない文字６８は通常表示とし、フォント数が低減された縮小文字７０を不鮮明化文字として表示したものである。このような表示形態としても、特定の文字又は文字列を目立たせてメール本文の視認性の向上を図ることができる。この場合、強調させる漢字は文字サイズを大とし、濃表示とし、ひらがなは文字サイズを小、淡表示とする。
【００８１】
また、図１３では、メール本文を構成する文字列について、フォントを縮小した文字の不鮮明化処理に加え、フォント数が低減されていない文字に対しても不鮮明化文字７２として表示可能としたものである。漢字列等の文字列においても、表示内容に軽重の差を持たせれば、特定の文字又は文字列を目立たせてメール本文の視認性の向上を図ることができる。この場合、強調させる漢字は文字サイズを大とし、濃表示とし、強調させない漢字は文字サイズを大、淡表示とし、また、ひらがなは文字サイズを小、淡表示とする。
【００８２】
このような画面表示を用いても、メールを表示する画面表示の視認性を高め、画面表示の表示内容の把握機能を高めることができる。
【００８３】
〔他の実施の形態〕
【００８４】
(1) 上記実施の形態では、文書表示装置、文書表示装置が搭載される電子機器として携帯電話機３６（図３）を例示したが、本発明はこのような携帯電話機３６に限定されるものではない。図１４に示すように、メール等の文書送受信機能を備える携帯端末装置として例えば、携帯情報端末機（ＰＤＡ：Personal Digital Assistant）７４に適用してもよい。このＰＤＡ７４では、本体部７６に操作入力部７８及び表示部８０等を備え、表示部８０の表示画面８１にメール本文を第１ないし第３の実施の形態のように表示すればよい。
【００８５】
また、図１５に示すように、メール等の文書送受信機能を備えるパーソナルコンピュータ（ＰＣ）８２で文書表示装置として既述のメール送受信装置を構成し、又はメール送受信装置を搭載してもよい。このＰＣ８２では、筐体部８４と筐体部８６とをヒンジ部８８で連結して開閉可能とし、筐体部８４には操作入力部９０、筐体部８６には表示部９２を備え、表示部９２の表示画面９４にメール本文を第１ないし第３の実施の形態のように表示すればよい。
【００８６】
(2) 第１の実施の形態では、フォントの調整、第２の実施の形態では、鮮明度の調整を例示したが、漢字とひらがなのように、メール本文に含まれる特定の文字とそれ以外の文字との画面表示について、明度、色相又は彩度を異ならせてもよく、また、明度、色相又は彩度を既述のフォントや鮮明度とを組み合わせて処理し、記録し、表示してもよい。
【００８７】
(3) 上記実施の形態では、文字として漢字、ひらがな、読点又は句点を例示したが、本発明はこのような文字に限定されるものではなく、文字と同様に、情報表示又は情報伝達手段として用いられるアルファベット、記号、絵文字、図形等に適用してもよく、実施の形態で示した文字に限定されるものではない。
【００８８】
(4) 上記実施の形態では、メール本文に漢字及びひらがなを含む日本文を例示したが、アルファベットを含んでもよいし、また、英文、独文、韓国文、中国文であってもよく、本発明は日本語に限定されるものではない。
【００８９】
(5) 上記の実施の形態では、メール文を例示し、画面表示の対象であるメール文の加工について例示したが、本発明に係る加工対象はメール文に限定されるものではない。即ち、メール文以外の文字、情報を提示する表示、情報の伝達媒体の要素を示す表示等の表示要素の加工に適用してもよく、本発明は、上記実施の形態に限定されるものではない。例えば、加工対象となる文書は、メモ、スケジュール、文字列、文章であってもよく、文字コードで表示された文字や記号であってもよい。
【００９０】
(6) 上記実施の形態において、メール送受信装置２は文書送受信手段の一例であって、メール以外の文書を送信する文書送受信装置として構成してもよい。また、メール送受信部２８は文書送受信手段の一例であって、メールを含む文書又はメール以外の文書を送受信する文書送受信部であってもよいし、また、メール表示制御部３０は文書表示のために用いられる表示制御手段の一例であって、メールを含む文書又はメール以外の文書表示を制御する文書表示制御部であってもよい。
【００９１】
次に、以上述べた実施の形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【００９２】
（付記１）  文書を表示する文書表示装置であって、
文書を画面に表示する表示部と、
前記表示部の１画面又は２画面以上に表示される文書を、該文書中の文字に応じて少なくともフォント、明度、色相、彩度又は鮮明度の何れか１以上を異ならせた文字又は文字列を含む文書に加工し、該文書を前記表示部の画面に表示させる処理部と、
を含むことを特徴とする文書表示装置。
【００９３】
（付記２）  前記文字は漢字、アルファベット、ひらがな、その他の文字、絵、図形、記号又は画像の何れか１つ又は２以上を含むことを特徴とする付記１記載の文書表示装置。
【００９４】
（付記３）  前記処理部は、文書の特定文字の文字数と、前記特定文字以外の文字の文字数とに基づき、前記表示部の一画面内に前記文書を表示可能な前記特定文字を表す特定文字フォントを決定し、該特定文字フォントで表示される特定文字に応じて前記特定文字以外の文字の大きさを縮小させることを特徴とする付記１記載の文書表示装置。
【００９５】
（付記４）  前記処理部で加工された文書を記録する記録部を備えることを特徴とする付記１記載の文書表示装置。
【００９６】
（付記５）  前記処理部は、文書に含まれる文字のフォントを異ならせ、大フォントの表示単位分の表示範囲に複数の文字を表示可能に加工することにより前記表示部に表示させることを特徴とする付記１記載の文書表示装置。
【００９７】
（付記６）  前記処理部は、前記表示部に表示される文書に含まれる文字に大文字フォントと小文字フォントを設定し、大文字フォント１文字分の表示範囲に小文字フォントの文字を数行数列に加工し、前記表示部の画面に表示させることを特徴とする付記１記載の文書表示装置。
【００９８】
（付記７）前記処理部は、漢字に大文字フォントと漢字以外の文字に小文字フォントを設定し、大文字フォント１文字分の表示範囲に小文字フォントの文字を数行数列に加工し、前記表示部の画面に表示させることを特徴とする付記１記載の文書表示装置。
【００９９】
（付記８）  文書を送受信する携帯端末装置であって、
文書を画面に表示する表示部と、
前記表示部の１画面又は２画面以上に表示される文書を、該文書中の文字に応じて少なくともフォント、明度、色相、彩度又は鮮明度の何れか１以上を異ならせた文字又は文字列を含む文書に加工し、前記表示部の画面に表示させる処理部と、
を含むことを特徴とする携帯端末装置。
【０１００】
（付記９）  前記処理部は、文書の特定文字の文字数と、前記特定文字以外の文字の文字数とに基づき、前記表示部の一画面内に前記文書を表示可能な前記特定文字を表す特定文字フォントを決定し、該特定文字フォントで表示される特定文字に応じて前記特定文字以外の文字の大きさを縮小させることを特徴とする付記８記載の携帯端末装置。
【０１０１】
（付記１０）  文書の表示方法であって、
１画面又は２画面以上に表示される文書を、該文書中の文字に応じて少なくともフォント、明度、色相、彩度又は鮮明度の何れか１以上を異ならせた文字又は文字列を含む文書に加工するステップと、
加工された前記文書を画面に表示させるステップと、
を含むことを特徴とする文書表示方法。
【０１０２】
（付記１１）  文書の特定文字の文字数と、前記特定文字以外の文字の文字数とに基づき、一画面内に前記文書を表示可能な前記特定文字を表す特定文字フォントを決定し、該特定文字フォントで表示される特定文字に応じて前記特定文字以外の文字の大きさを縮小させるステップを含むことを特徴とする付記１０記載の文書表示方法。
【０１０３】
（付記１２）  コンピュータによって実行される文書表示プログラムであって、
１画面又は２画面以上に表示される文書を、該文書中の文字に応じて少なくともフォント、明度、色相、彩度又は鮮明度の何れか１以上を異ならせた文字又は文字列を含む文書に加工する機能と、
加工された前記文書を画面に表示させる機能と、
を含むことを特徴とする文書表示プログラム。
【０１０４】
（付記１３）  文書の特定文字の文字数と、前記特定文字以外の文字の文字数とに基づき、一画面内に前記文書を表示可能な前記特定文字を表す特定文字フォントを決定し、該特定文字フォントで表示される特定文字に応じて前記特定文字以外の文字の大きさを縮小させる機能を含むことを特徴とする付記１２記載の文書表示プログラム。
【０１０５】
以上説明したように、文書表示装置、携帯端末装置、文書表示方法及び文書表示プログラムの最も好ましい実施の形態等について説明したが、本発明は、上記記載に限定されるものではなく、特許請求の範囲に記載され、又は発明を実施するための最良の形態に開示された発明の要旨に基づき、当業者において様々な変形や変更が可能であることは勿論であり、斯かる変形や変更が、本発明の範囲に含まれることは言うまでもない。
【産業上の利用可能性】
【０１０６】
本開示の文書表示装置、携帯端末装置、文書表示方法及び文書表示プログラムは、文書中の文字に応じて少なくともフォント、明度、色相、彩度又は鮮明度の何れか１以上を異ならせた文字又は文字列を含む文書に加工された文書が画面に表示されるので、メール文等の文書の視認性と、文書表示画面の表示効率、表示内容の把握機能が高められ、メール等の文書送受信機能を備える電子機器に広く適用でき、有用である。
【図面の簡単な説明】
【０１０７】
【図１】第１の実施の形態に係るメール送受信装置を示すブロック図である。
【図２】メモリの一例を示す図である。
【図３】携帯電話機の一例を示す図である。
【図４】メール表示機能の概要を示す図である。
【図５】メールの表示変換の前後を示す図である。
【図６】変換後のメール表示を示す図である。
【図７】メール表示の処理手順を示すフローチャートである。
【図８】一画面表示化処理のサブルーチンの処理手順を示すフローチャートである。
【図９】処理内容を示す図である。
【図１０】第２の実施の形態に係るメール表示の概要を示す図である。
【図１１】メール表示の一例を示す図である。
【図１２】第３の実施の形態に係るメール表示の概要を示す図である。
【図１３】メール表示の一例を示す図である。
【図１４】他の実施の形態に係るＰＤＡを示す図である。
【図１５】他の実施の形態に係るＰＣを示す図である。
【符号の説明】
【０１０８】
２  メール送受信装置
４  メール表示機能部
１０  メモリ
１２  表示部
２２  表示画面
３０  メモリ表示制御部
３２  フォントデータベース
３４  表示操作制御部
３６  携帯電話機
【図１】
2010157085.tif 000003
【図２】
2010157085.tif 000004
【図３】
2010157085.tif 000005
【図４】
2010157085.tif 000006
【図５】
2010157085.tif 000007
【図６】
2010157085.tif 000008
【図７】
2010157085.tif 000009
【図８】
2010157085.tif 000010
【図９】
2010157085.tif 000011
【図１０】
2010157085.tif 000012
【図１１】
2010157085.tif 000013
【図１２】
2010157085.tif 000014
【図１３】
2010157085.tif 000015
【図１４】
2010157085.tif 000016
【図１５】
2010157085.tif 000017